(57)【要約】【課題】より一層輝度ムラを抑えることができる照明器具を提供する。【解決手段】本発明の照明器具は、ＬＥＤを有する光源ユニットと、ＬＥＤの発光動作を制御する電源基板が内蔵された電源ユニットと、光源ユニットと電源ユニットとを着脱自在に保持する引掛シーリングアダプタとを備え、引掛シーリングアダプタは、引掛シーリングを通じて供給される電力を電源基板に供給する第１給電部と、電源基板から出力されたＬＥＤ制御信号をＬＥＤに供給する第２給電部とを備え、光源ユニットは、一方の面にＬＥＤが設けられ他方の面にＬＥＤ制御信号を受け取る受電部が設けられたベース板と、ＬＥＤを覆うようにベース板に着脱自在に取り付けられるカバーとを備え、光源ユニットが引掛シーリングアダプタに保持される際、受電部と第２給電部とが電気的に接続されるように構成される。【選択図】図１
2013165046.tif 000002
【特許請求の範囲】
【請求項１】
ＬＥＤを有する光源ユニットと、
前記ＬＥＤの発光動作を制御するＬＥＤ制御信号を生成する電源基板が内蔵された電源ユニットと、
天井に設置された引掛シーリングに接続され、前記光源ユニットと前記電源ユニットとをそれぞれ着脱自在に保持する引掛シーリングアダプタと、
を備え、
前記引掛シーリングアダプタは、
前記引掛シーリングを通じて供給される電力を前記電源基板に供給する第１給電部と、
前記電源基板から出力された前記ＬＥＤ制御信号を前記ＬＥＤに供給する第２給電部と、
を備え、
前記光源ユニットは、
一方の面に前記ＬＥＤが設けられ、他方の面に前記ＬＥＤ制御信号を受け取る受電部が設けられたベース板と、
前記ＬＥＤを覆うように前記ベース板に固定されるカバーと、
を備え、
前記光源ユニットが前記引掛シーリングアダプタに保持される際、前記受電部と前記第２給電部とが電気的に接続されるように構成された、照明器具。
【請求項２】
前記光源ユニットは、前記ベース板と前記カバーとで前記ＬＥＤを密閉するように構成されている、請求項１に記載の照明器具。
【請求項３】
前記電源ユニットの外周部と前記光源ユニットの外周部の少なくとも一方には、前記第２給電部と前記受電部とが接続されるように前記引掛シーリングアダプタに対する前記光源ユニットの取り付けをガイドする誘い込み部が設けられている、請求項１又は２に記載の照明器具。
【請求項４】
前記引掛シーリングアダプタが前記電源ユニットを保持していないとき、前記第１給電部を覆い隠す第１給電部用カバーを備え、
前記第１給電部用カバーは、前記引掛シーリングアダプタに対する前記電源ユニットの取り付け動作に連動して前記第１給電部が露出するように移動するように設けられている、請求項１〜３のいずれか１つに記載の照明器具。
【請求項５】
前記引掛シーリングアダプタが前記光源ユニットを保持していないとき、前記第２給電部を覆い隠す第２給電部用カバーを備え、
前記第２給電部用カバーは、前記引掛シーリングアダプタに対する前記光源ユニットの取り付け動作に連動して前記第２給電部が露出するように移動するように設けられている、請求項１〜４のいずれか１つに記載の照明器具。
【請求項６】
前記引掛シーリングアダプタによる前記電源ユニットの保持は、電源ユニット保持解除ボタンを操作することにより解除されるように構成されている、請求項１〜５のいずれか１つに記載の照明器具。
【請求項７】
前記引掛シーリングアダプタによる前記光源ユニットの保持は、光源ユニット保持解除ボタンを操作することにより解除されるように構成されている、請求項１〜６のいずれか１つに記載の照明器具。
【請求項８】
前記ベース板は、前記ＬＥＤから発生する熱を前記電源ユニットに伝達する、前記ベース板の本体部よりも熱伝導率が高い高熱伝導部を有している、請求項１〜７のいずれか１つに記載の照明器具。
【請求項９】
前記高熱伝導部は、柔軟性を有する、請求項８に記載の照明器具。
【請求項１０】
前記電源ユニットの筐体の内面に導電膜が設けられている、請求項１〜９のいずれか１つに記載の照明器具。
【請求項１１】
前記光源ユニットと前記電源ユニットとが係合可能に構成され、
前記光源ユニットと前記電源ユニットとの係合は、係合解除ボタンを操作することにより解除されるように構成されている、請求項１〜１０のいずれか１つに記載の照明器具。
【請求項１２】
前記ベース板の一方の面に、前記ＬＥＤの発光動作を指示するリモコンの操作信号を受信するセンサが設けられている、請求項１〜１１のいずれか１つに記載の照明器具。
【発明の詳細な説明】
【技術分野】
【０００１】
本発明は、ＬＥＤ（発光ダイオード）を光源とする照明器具に関し、特に天井に設置される照明器具に関する。
【背景技術】
【０００２】
従来、この種の照明器具としては、例えば、図１６に示すような構造のものが知られている。図１６に示す従来の照明器具は、引掛シーリングアダプタ１０１と、照明器具本体１０２と、カバー１０３とを備えている。
【０００３】
引掛シーリングアダプタ１０１は、天井に設置された引掛シーリング１０４に接続されるものである。照明器具本体１０２には、引掛シーリングアダプタ１０１を挿入可能な貫通穴１０２ａが設けられている。照明器具本体１０２は、貫通穴１０２ａに引掛シーリングアダプタ１０１が挿入され、引掛シーリングアダプタ１０１に設けられた係合爪１０１ａが貫通穴１０２ａの周囲部分に係合することにより、照明器具本体１０２に保持される。
【０００４】
また、照明器具本体１０２には、複数のＬＥＤ１０５と、該複数のＬＥＤ１０５に電気的に接続されたコネクタ１０６とが設けられている。コネクタ１０６が引掛シーリングアダプタ１０１に電気的に接続されることにより、引掛シーリングアダプタ１０１及びコネクタ１０６を通じて複数のＬＥＤ１０５に電力が供給される。カバー１０３は、複数のＬＥＤ１０５を覆うように照明器具本体１０２に取り付けられる。
【先行技術文献】
【特許文献】
【０００５】
【特許文献１】特開平９−２１９１１１号公報
【発明の概要】
【発明が解決しようとする課題】
【０００６】
前記従来の照明器具においては、照明器具本体１０２を引掛シーリングアダプタ１０１に取り付ける際に、引掛シーリングアダプタ１０１が地面側から目視できるように直径７５ｍｍ程度の貫通穴１０２ａが設けられている。この貫通穴１０２ａの部分には、当然ながらＬＥＤ１０５を設けることができない。このため、特にカバー１０３の貫通穴１０２ａと対向する部分において、ＬＥＤ１０５の光が届かず、カバー１０３に輝度ムラが発生する。
【０００７】
また、前記従来の照明器具においては、照明器具本体１０２が引掛シーリングアダプタ１０１に保持された後に、コネクタ１０６を引掛シーリングアダプタ１０１に接続できるように、コネクタ１０６が電線の先端部に取り付けられている。このため、該電線の影がカバー１０３に写り、カバー１０３に輝度ムラが発生する。
【０００８】
前記輝度ムラを抑えるため、前記従来の照明器具においては、貫通穴１０２ａを地面側から塞ぐように光反射蓋１０７が着脱自在に設けられている。蓋１０７がＬＥＤ１０５の光を反射することにより、カバー１０３の貫通穴１０２ａと対向する部分に届くＬＥＤ１０５の光の量を多くすることができる。
【０００９】
しかしながら、照明器具本体１０２の地面側の表面と光反射蓋１０７とが同一平面上に位置するように光反射蓋１０７を精度良く取り付けることは困難である。このため、ＬＥＤ１０５の光が意図しない方向に反射され、カバー１０３に輝度ムラが発生する。
【００１０】
従って、本発明の目的は、前記問題を解決することにあって、より一層輝度ムラを抑えることができる照明器具を提供することにある。
【課題を解決するための手段】
【００１１】
前記目的を達成するために、本発明は以下のように構成する。
本発明の照明器具は、ＬＥＤを有する光源ユニットと、
前記ＬＥＤの発光動作を制御するＬＥＤ制御信号を生成する電源基板が内蔵された電源ユニットと、
天井に設置された引掛シーリングに接続され、前記光源ユニットと前記電源ユニットとをそれぞれ着脱自在に保持する引掛シーリングアダプタと、
を備え、
前記引掛シーリングアダプタは、
前記引掛シーリングを通じて供給される電力を前記電源基板に供給する第１給電部と、
前記電源基板から出力されたＬＥＤ制御信号を前記ＬＥＤに供給する第２給電部と、
を備え、
前記光源ユニットは、
一方の面に前記ＬＥＤが設けられ、他方の面に前記ＬＥＤ制御信号を受け取る受電部が設けられたベース板と、
前記ＬＥＤを覆うように前記ベース板に固定されるカバーと、
を備え、
前記光源ユニットが前記引掛シーリングアダプタに保持される際、前記受電部と前記第２給電部とが電気的に接続されるように構成されることを特徴とする。
【００１２】
前記光源ユニットは、前記ベース板と前記カバーとで前記ＬＥＤを密閉するように構成されていることが好ましい。
【００１３】
また、前記電源ユニットの外周部と前記光源ユニットの外周部の少なくとも一方には、前記第２給電部と前記受電部とが接続されるように前記引掛シーリングアダプタに対する前記光源ユニットの取り付けをガイドする誘い込み部が設けられていることが好ましい。
【００１４】
また、前記引掛シーリングアダプタが前記電源ユニットを保持していないとき、前記第１給電部を覆い隠す第１給電部用カバーを備え、
前記第１給電部用カバーは、前記引掛シーリングアダプタに対する前記電源ユニットの取り付け動作に連動して前記第１給電部が露出するように移動するように設けられていることが好ましい。
【００１５】
また、前記引掛シーリングアダプタが前記光源ユニットを保持していないとき、前記第２給電部を覆い隠す第２給電部用カバーを備え、
前記第２給電部用カバーは、前記引掛シーリングアダプタに対する前記光源ユニットの取り付け動作に連動して前記第２給電部が露出するように移動するように設けられていることが好ましい。
【００１６】
また、前記引掛シーリングアダプタによる前記電源ユニットの保持は、電源ユニット保持解除ボタンを操作することにより解除されるように構成されていることが好ましい。
【００１７】
また、前記引掛シーリングアダプタによる前記光源ユニットの保持は、光源ユニット保持解除ボタンを操作することにより解除されるように構成されていることが好ましい。
【００１８】
また、前記ベース板は、前記ＬＥＤから発生する熱を前記電源ユニットに伝達する、前記ベース板の本体部よりも熱伝導率が高い高熱伝導部を有していることが好ましい。
【００１９】
また、前記高熱伝導部は、柔軟性を有することが好ましい。
【００２０】
また、前記電源ユニットの筐体の内面に導電膜が設けられていることが好ましい。
【００２１】
また、前記光源ユニットと前記電源ユニットとが係合可能に構成され、
前記光源ユニットと前記電源ユニットとの係合は、係合解除ボタンを操作することにより解除されるように構成されていることが好ましい。
【００２２】
また、前記ベース板の一方の面に、前記ＬＥＤの発光動作を指示するリモコンの操作信号を受信するセンサが設けられていることが好ましい。
【発明の効果】
【００２３】
本発明にかかる照明器具によれば、前記構成を有することにより、より一層輝度ムラを抑えることができる。
【図面の簡単な説明】
【００２４】
【図１】本発明の第１実施形態にかかる照明器具の概略構成を分解して示す断面図である。
【図２】図１の照明器具の天井への取り付け状態を示す断面図である。
【図３】図１の照明器具の取り付け部分の構成を分解して示す断面図である。
【図４】図３に示す引掛シーリングに引掛シーリングアダプタを取り付け、該引掛シーリングアダプタに電源ユニットを取り付けた状態を示す断面図である。
【図５】図４に示す引掛シーリングアダプタに光源ユニットを取り付けた状態を示す断面図である。
【図６】電源ユニット保持解除ボタン及び光源ユニット保持解除ボタンの概略構成を示す断面図である。
【図７】本発明の第２実施形態にかかる照明器具の概略構成を分解して示す断面図である。
【図８】本発明の第３実施形態にかかる照明器具の一部拡大断面図であり、引掛シーリングアダプタに電源ユニット及び光源ユニットが取り付けられていない状態を示す図である。
【図９】本発明の第３実施形態にかかる照明器具の一部拡大断面図であり、引掛シーリングアダプタに電源ユニット及び光源ユニットが取り付けられた状態を示す図である。
【図１０】電源ユニットに設けられた窓穴を示す断面図である
【図１１】本発明の第４実施形態にかかる照明器具の光源ユニット及び電源ユニットの一部拡大断面図である。
【図１２】本発明の第５実施形態にかかる照明器具の光源ユニットの一部拡大断面図である。
【図１３】本発明の第６実施形態にかかる照明器具の一部拡大断面図であり、光源ユニットと電源ユニットとが係合している状態を示す図である。
【図１４】本発明の第６実施形態にかかる照明器具の一部拡大断面図であり、光源ユニットと電源ユニットとの係合が解除された状態を示す図である。
【図１５】ベース板の下面にセンサを設けた状態を示す断面図である。
【図１６】従来の照明器具の構成を示す分解斜視図である。
【発明を実施するための形態】
【００２５】
以下、本発明の実施形態について、図面を参照しながら説明する。なお、本発明は、以下の実施形態に限定されるものではない。
【００２６】
《第１実施形態》
図１は、本発明の第１実施形態にかかる照明器具の概略構成を分解して示す断面図であり、図２は、図１の照明器具の天井への取り付け状態を概略的に示す断面図である。なお、本発明の第１実施形態にかかる照明器具は左右対称であるので、図１及び２では右側半分のみ示す。なお、後述する図３〜図１５についても同様に右側半分のみ示す。
【００２７】
図１及び図２において、本第１実施形態にかかる照明器具は、引掛シーリングアダプタ１と、光源ユニット２と、電源ユニット３とを備えている。
【００２８】
引掛シーリングアダプタ１は、天井４に設置された引掛シーリング５に接続され、光源ユニット２と電源ユニット３とをそれぞれ着脱自在に保持するものである。
【００２９】
光源ユニット２は、ベース板２１と、ベース板２１の下面（一方の面）に着脱自在に取り付けられたカバー２２とを備えている。ベース板２１の下面には、１つ以上のＬＥＤ２３が設けられている。ベース板２１の上面（他方の面）には、ＬＥＤ２３の発光状態を制御するＬＥＤ制御信号を受け取る第２受電部２４が設けられている。カバー２２は、ＬＥＤ２３を覆うようにベース板２１に取り付けられている。本第１実施形態において、ベース板２１は円盤状に形成され、カバー２２は半球状に形成されている。
【００３０】
電源ユニット３には、前記ＬＥＤ制御信号を生成する電源基板３１が内蔵されている。また、電源ユニット３には、引掛シーリング５及び引掛シーリングアダプタ１を通じて供給される電力（例えば、１００Ｖの交流電力）を受け取り、電源基板３１に供給する第１受電部３２が設けられている。
【００３１】
引掛シーリングアダプタ１には、電源ユニット３を保持した際、第１受電部３２と電気的に接続される第１給電部１１が設けられている。第１受電部３２と第１給電部１１とが電気的に接続されることにより、前記電力が電源基板３１に供給される。
【００３２】
また、引掛シーリングアダプタ１には、光源ユニット２を保持した際、第２受電部２４と電気的に接続される第２給電部１２が設けられている。第２受電部２４と第２給電部１２とが電気的に接続されることにより、前記ＬＥＤ制御信号がＬＥＤ２３に供給される。
【００３３】
次に、本第１実施形態にかかる照明器具の取り付け部分の構造及び取り付け方法の一例について説明する。
【００３４】
図３に示すように、引掛シーリングアダプタ１の上面には、引掛シーリング５に設けられた係合凹部５ａに係合可能な係合爪１３が設けられている。図４に示すように、係合爪１３が係合凹部５ａに係合することにより、引掛シーリングアダプタ１が引掛シーリング５に保持される。
【００３５】
本第１実施形態において、引掛シーリングアダプタ１は、概ね円盤状に形成されている。引掛シーリングアダプタ１の外周部には段差が設けられている。引掛シーリングアダプタ１の上段部１ａの外径は、下段部１ｂの外径と同じか、もしくは下段部１ｂの外径よりも大きくなっている。
【００３６】
引掛シーリングアダプタ１の上段部１ａには、第１凹部１ｃが横方向に延在するように設けられている。第１凹部１ｃには、バネなどの第１弾性部材１４と、第１係合爪１５とが設けられている。第１弾性部材１４は、第１係合爪１５の先端部が引掛シーリングアダプタ１の上段部１ａの外周面から突出するように第１係合爪１５を付勢する。第１係合爪１５は、第１凹部１ｃ内を摺動可能に構成されている。第１係合爪１５の先端部には、上方に向かうに従い第１弾性部材１４から離れるように傾斜する傾斜面１５ａが形成されている。
【００３７】
本第１実施形態において、電源ユニット３は、概ね環状に形成されている。電源ユニット３の内周部には段差が設けられている。電源ユニット３の上段部３ａの外径は、下段部１ｂの外径よりも小さくなっている。
【００３８】
電源ユニット３の上段部３ａには、第１係合爪１５と係合可能な係合凹部３ｃが設けられている。引掛シーリングアダプタ１の上段部１ａの外周面に沿って電源ユニット３の内周上端部３ｄが上方に滑らされるとき、第１係合爪１５は、内周上端部３ｄに傾斜面１５ａを押圧されて弾性部材１４の弾性力に抗して第１凹部１ｃ内に引き込まれる。その後、第１係合爪１５は、弾性部材１４の弾性力により係合凹部３ｃ内に進入するように弾性復帰する。これにより、図４に示すように、電源ユニット３が引掛シーリングアダプタ１に保持される。このとき、引掛シーリングアダプタ１の第１給電部１１と、電源ユニット３の第１受電部３２とが電気的に接続される。
【００３９】
引掛シーリングアダプタ１の下段部１ｂには、第２凹部１ｄが横方向に延在するように設けられている。第２凹部１ｄには、バネなどの第２弾性部材１６と、第２係合爪１７とが設けられている。第２弾性部材１６は、第２係合爪１７の先端部が引掛シーリングアダプタ１の下段部１ｂの外周面から突出するように第２係合爪１７を付勢する。第２係合爪１７は、第２凹部１ｄ内を摺動可能に構成されている。第２係合爪１７の先端部には、上方に向かうに従い第２弾性部材１６から離れるように傾斜する傾斜面１７ａが形成されている。
【００４０】
本第１実施形態において、光源ユニット２のベース板２１には、上方に立設された環状の突起部２１ａが形成され、該突起部２１ａの内周面に第２受電部２４が設けられている。また、突起部２１ａの内周面には、第２係合爪１７と係合可能な係合凹部２１ｂが設けられている。引掛シーリングアダプタ１の下段部１ｂの外周面に沿って突起部２１ａの内周上端部２１ｃが上方に滑らされるとき、第２係合爪１７は、内周上端部２１ｃに傾斜面１７ａを押圧されて弾性部材１６の弾性力に抗して第２凹部１ｄ内に引き込まれる。その後、第２係合爪１７は、弾性部材１６の弾性力により係合凹部２１ｂ内に進入するように弾性復帰する。これにより、図５に示すように、光源ユニット２が引掛シーリングアダプタ１に保持される。このとき、引掛シーリングアダプタ１の第２給電部１２と、光源ユニット２の第２受電部２４とが電気的に接続される。
【００４１】
本第１実施形態によれば、ＬＥＤ制御信号を受け取る第２受電部２４をベース板２１の上面に設けて、光源ユニット２が引掛シーリングアダプタ１に保持される際に、第２受電部２４と第２給電部１２とが電気的に接続されるようにしている。これにより、従来の照明器具のようにコネクタを設ける必要がなく、ベース板２１にコネクタを通すための貫通穴を設ける必要性を無くすことができる。その結果、該貫通穴に対応する部分にＬＥＤ２３を配置することができ、カバー２２の輝度ムラをより一層抑えることができる。
【００４２】
また、本第１実施形態によれば、光源ユニット２が引掛シーリングアダプタ１に保持される際に、第２受電部２４と第２給電部１２とが電気的に接続されるようにしているので、取り付け工数の増加も抑えることができる。
【００４３】
また、本第１実施形態によれば、光源ユニット２と電源ユニット３とが別ユニットであるので、ＬＥＤ２３が壊れたときに、照明器具本体を交換することなく、光源ユニット２のみを交換するだけで良いため、修理費用を安くすることができる。
【００４４】
なお、光源ユニット２は、密閉構造であることが好ましい。例えば、光源ユニット２は、ベース板２１とカバー２２とでＬＥＤ２３を密閉するように構成されることが好ましい。これにより、光源ユニット２の内部（ベース板２１とカバー２２とで形成される空間）に埃や虫などの異物が侵入することを防ぐことができる。その結果、該異物がＬＥＤ２３やカバー２２の内面に付着することなどに起因するカバー２２の輝度ムラを抑えることができる。また、光源ユニット２を引掛シーリングアダプタ１から取り外したとしても、光ベース板２１とカバー２２との接続を解除しない限り、ＬＥＤ２３は外部に露出しない。これにより、使用者がＬＥＤ２３に触れてＬＥＤ２３が劣化するなどの危険性を抑えることができる。
【００４５】
なお、本第１実施形態において、引掛シーリングアダプタ１による電源ユニット３の保持は、図６に示すように設けられた電源ユニット保持解除ボタン１８を操作（例えば、押圧）することにより解除されるように構成されている。言い換えれば、電源ユニット保持解除ボタン１８を操作するのみでは、引掛シーリングアダプタ１による電源ユニット３の保持を解除できないように構成されている。これにより、地震などの震動により、電源ユニット３が意図せず落下することを防止することができる。
【００４６】
同様に、本第１実施形態において、引掛シーリングアダプタ１による光源ユニット２の保持は、図６に示すように設けられた光源ユニット保持解除ボタン１９を操作（例えば、押圧）することにより解除されるように構成されている。言い換えれば、光源ユニット保持解除ボタン１９を操作するのみでは、引掛シーリングアダプタ１による光源ユニット２の保持を解除できないように構成されている。これにより、地震などの震動により、光源ユニット３が意図せず落下することを防止することができる。
【００４７】
なお、本第１実施形態では、電源ユニット保持解除ボタン１８と光源ユニット保持解除ボタン１９とを別々に設けたが、それらは一体であってもよい。この場合、光源ユニット２と電源ユニット３とを同時に取り外すことができる。
【００４８】
《第２実施形態》
図７を用いて、本発明の第２実施形態にかかる照明器具について説明する。図７は、本発明の第２実施形態にかかる照明器具の概略構成を分解して示す断面図である。本第２実施形態の照明器具が、前記第１実施形態の照明器具と異なる点は、電源ユニット３の外周部と光源ユニット２の外周部とに誘い込み部３３，２５が設けられている点である。
【００４９】
誘い込み部３３，２５は、下段部１ｂに内周上端部２１ｃをスムーズに挿入できるように引掛シーリングアダプタ１に対する光源ユニット２の取り付けをガイドするように設けられている。本第２実施形態において、誘い込み部２５は、光源ユニット２のベース板２１の上面外周端部において上方に立設されたテーパ状の突起部で構成されている。また、本第２実施形態において、誘い込み部３３は、電源ユニット３の下面外周端部に設けられたデーパ状の切欠部で構成されている。
【００５０】
本第２実施形態によれば、誘い込み部２５，３３を有することにより、従来の照明器具のように貫通穴を通じて引掛シーリングアダプタ１を目視しなくても、容易に光源ユニット２を引掛シーリングアダプタ１に取り付けることができる。
【００５１】
なお、本第２実施形態では、誘い込み部２５を光源ユニット２のベース板２１の上面外周端部に設けたが、本発明はこれに限定されない。例えば、誘い込み部２５は、光源ユニット２のベース板２１の上面外周端部から中心側へ少し（例えば、３ｃｍ）ずれた位置に設けられてもよい。光源ユニット２を引掛リーシングアダプタ１に取り付ける際、使用者は、通常、光源ユニット２の外周部において中心を挟んで互いに対向する部分を下方から両手で保持する。この際、使用者の指先で触れることが可能な位置に誘い込み部２５に設けることで、使用者は誘い込み部２５の位置を確認することができる。これにより、容易に光源ユニット２を引掛シーリングアダプタ１に取り付けることができる。なお、誘い込み部３３は、誘い込み部２５に対応する位置に設ければよい。
【００５２】
なお、誘い込み部２５，３３は、環状であることが好ましい。これにより、誘い込み部２５と誘い込み部３３との位置合わせを容易に行うことができる。
【００５３】
《第３実施形態》
図８及び図９を用いて、本発明の第３実施形態にかかる照明器具について説明する。図８及び図９は、本発明の第３実施形態にかかる照明器具の一部拡大断面図である。本第３実施形態の照明器具が、前記第１実施形態の照明器具と異なる点は、第１係合爪１５に第１給電部用カバー６１が取り付けられ、第２係合爪１７に第２給電部用カバー６２が取り付けられている点である。
【００５４】
第１給電部用カバー６１は、図８に示すように、引掛シーリングアダプタ１が電源ユニット３を保持していないとき、第１給電部１１を覆い隠すカバーである。第１給電部用カバー６１の一端部は、第１係合爪１５に設けられた凹部１５ｂに取り付けられている。第１給電部用カバー６１の他端部は、引掛シーリングアダプタ１の第１給電部１１の前方に設けられた凹部１ｅに挿入されている。凹部１ｅを挟んで第１給電部１１と対向する側壁には、図１０に示すような窓穴１ｆが形成されている。
【００５５】
第１給電部用カバー６１は、引掛シーリングアダプタ１に対する電源ユニット３の取り付け動作に連動して、第１係合爪１５と共に第１凹部１ｃ内に引き込まれるように構成されている。これにより、図９に示すように引掛シーリングアダプタ１に対する電源ユニット３の取り付けが完了した状態では、第１給電部１１が露出し、電源ユニット３の第１受電部３２が窓穴１ｆ及び凹部１ｅを通じて第１給電部１１と電気的に接続される。
【００５６】
第２給電部用カバー６２は、図８に示すように、引掛シーリングアダプタ１が光源ユニット２を保持していないとき、第２給電部１２を覆い隠すカバーである。第２給電部用カバー６２の一端部は、第２係合爪１７に設けられた凹部１７ｂに取り付けられている。第２給電部用カバー６２の他端部は、引掛シーリングアダプタ１の第２給電部１２の前方に設けられた凹部１ｇに挿入されている。凹部１ｇを挟んで第２給電部１２と対向する側壁には、図１０に示すような窓穴１ｈが形成されている。
【００５７】
第２給電部用カバー６２は、引掛シーリングアダプタ１に対する光源ユニット２の取り付け動作に連動して、第２係合爪１７と共に第２凹部１ｄ内に引き込まれるように構成されている。これにより、図９に示すように、引掛シーリングアダプタ１に対する光源ユニット２の取り付けが完了した状態では第２給電部１２が露出し、光源ユニット２の第２受電部２４が窓穴１ｈ及び凹部１ｇを通じて第２給電部１２と電気的に接続される。
【００５８】
本第３実施形態によれば、電源ユニット３を取り付けていない状態では、第１給電部用カバー６１により第１給電部１１が覆われているので、使用者が第１給電部１１に触れて感電する危険性を抑えることができる。
【００５９】
また、本第３態様によれば、電源ユニット３を引掛シーリングアダプタ１に取り付ける動作を行うだけで、第１給電部１１が露出するように第１給電部用カバー６１を移動させて、第１給電部１１と第１受電部３２とを電気的に接続することができる。
【００６０】
また、本第３実施形態によれば、光源ユニット２を取り付けていない状態では、第２給電部用カバー６２により第２給電部１２が覆われているので、使用者が第２給電部１２に触れて感電する危険性を抑えることができる。
【００６１】
また、本第３態様によれば、光源ユニット２を引掛シーリングアダプタ１に取り付ける動作を行うだけで、第２給電部１２が露出するように第２給電部用カバー６２を移動させて、第２給電部１２と第２受電部２４とを電気的に接続することができる。
【００６２】
《第４実施形態》
図１１を用いて、本発明の第４実施形態にかかる照明器具について説明する。図１１は、本発明の第４実施形態にかかる照明器具の光源ユニット及び電源ユニットの一部拡大断面図である。本第４実施形態の照明器具が、前記第１実施形態の照明器具と異なる点は、ベース板２１が高熱伝導部２６を有し、電源ユニット３の筐体に高熱伝導部２６を受け入れる凹部３４が設けられている点である。
【００６３】
高熱伝導部２６は、ＬＥＤ２３から発生する熱を電源ユニット３に伝達するように、ベース板２１の本体部よりも熱伝導率が高い材料で構成されている。また、好ましくは、高熱伝導部２６は、凹部３４に隙間無く嵌合するように柔軟性を有する材料で構成される。例えば、高熱伝導部２６は、炭素繊維を含有する樹脂、金属フィラーを含有するシリコンなどで構成される。高熱伝導部２６は、例えば、ベース板２１の本体部の表面及び裏面に、ホットメルト成形により形成される。
【００６４】
本第４実施形態によれば、ＬＥＤ２３から発生する熱を高熱伝導部２６により電源ユニット３に伝達する（逃がす）ことにより、ＬＥＤ２３の周囲の温度変化を少なくすることができる。これにより、ＬＥＤ２３の発光特性を安定化させて、カバー２２の輝度ムラを抑えることができる。
【００６５】
また、本第４実施形態によれば、高熱伝導部２６が柔軟性を有して凹部３４に隙間無く嵌合することにより、ＬＥＤ２３から発生する熱を電源ユニット３に効率良く伝達することができる。これにより、ＬＥＤ２３の周囲の温度変化をより一層少なくして、カバー２２の輝度ムラを抑えることができる。
【００６６】
また、本第４実施形態によれば、電源ユニット３の筐体に凹部３４を設けて、高熱伝導部２６と電源ユニット３との接触面積を大きくしているので、ＬＥＤ２３から発生する熱を電源ユニット３に効率良く伝達することができる。これにより、ＬＥＤ２３の周囲の温度変化をより一層少なくして、カバー２２の輝度ムラを抑えることができる。
【００６７】
《第５実施形態》
図１２を用いて、本発明の第５実施形態にかかる照明器具について説明する。図１２は、本発明の第５実施形態にかかる照明器具の電源ユニットの一部拡大断面図である。本第５実施形態の照明器具が、前記第１実施形態の照明器具と異なる点は、電源ユニット３の筐体の内面に導電膜３５が設けられている点である。
【００６８】
本第５実施形態によれば、電源ユニット３の筐体の内面に導電膜３５が設けられているので、電源基板３１から発生する電波ノイズが外部へ漏れることを防止することができる。なお、導電膜３５は、例えば、銅をターゲット材として用いたスパッタリングや蒸着により形成することができる。
【００６９】
《第６実施形態》
図１３及び図１４を用いて、本発明の第６実施形態にかかる照明器具について説明する。図１３及び図１４は、本発明の第６実施形態にかかる照明器具の光源ユニット及び電源ユニットの一部拡大断面図である。本第６実施形態の照明器具が、前記第１実施形態の照明器具と異なる点は、光源ユニット２と電源ユニット３とが係合可能に構成されている点である。
【００７０】
図１３及び図１４に示すように、電源ユニット３には、回動レバー７１が回動軸７１ａを中心として回動自在に設けられている。回動レバー７１の先端部７１ｂは、ベース板２１に設けられた係合凹部２１ｄの突起部２１ｅに係合可能に構成されている。回動レバー７１の後端部７１ｃは、回動レバー７１の先端部７１ｂが突起部２１ｅと係合するように、バネなどの弾性部材７２により付勢されている。
【００７１】
また、電源ユニット３には、回動レバー７１の後端部７１ｃを、弾性部材７２の弾性力が働く方向とは逆方向に押圧可能な係合解除ボタン７３が設けられている。図１４に示すように、係合解除ボタン７３を操作（押圧）することにより、弾性部材７２の弾性力に抗して回動レバー７１を回動させ、回動レバー７１の先端部７１ｂと突起部２１ｅとの係合を解除することができる。すなわち、光源ユニット２と電源ユニット３との係合を解除することができる。
【００７２】
本第６実施形態によれば、光源ユニット２と電源ユニット３とが係合するようにしているので、地震などの震動により引掛シーリングアダプタ１による光源ユニット２の保持が解除された場合でも、光源ユニット２が落下することを防止することができる。これにより、より安全性の高い照明器具を実現することができる。
【００７３】
なお、本発明は前記各実施形態に限定されるものではなく、その他種々の態様で実施できる。例えば、
【００７４】
なお、図１５に示すように、ＬＥＤ２３の発光動作を指示するリモコンの操作信号を受信するセンサ２７は、ベース板２１の下面に設けることが好ましい。この場合、リモコンとセンサ２７との間にカバー２２以外の障害物がないので、リモコンの感度の低下を抑えることができる。一方、センサ２７を電源ユニット３に設けた場合には、光源ユニット２が障害物となり、リモコンの感度が低下することになる。
【００７５】
なお、前記様々な実施形態のうちの任意の実施形態を適宜組み合わせることにより、それぞれの有する効果を奏するようにすることができる。
【符号の説明】
【００７６】
１    引掛シーリングアダプタ
１ａ  上段部
１ｂ  下段部
１ｃ  第１凹部
１ｄ  第２凹部
１ｅ，１ｇ  凹部
１ｆ，１ｈ  窓穴
２    光源ユニット
３    電源ユニット
３ａ  上段部
３ｂ  下段部
３ｃ  係合凹部
３ｄ  内周上端部
４    天井
５    引掛シーリング
５ａ  係合凹部
１１    第１給電部
１２    第２給電部
１３    係合爪
１４    第１弾性部材
１５    第１係合爪
１５ａ  傾斜面
１５ｂ  凹部
１６    第２弾性部材
１７    第２係合爪
１７ａ  傾斜面
１７ｂ  凹部
１８    電源ユニット保持解除ボタン
１９    光源ユニット保持解除ボタン
２１    ベース板
２１ａ  突起部
２１ｂ  係合凹部
２１ｃ  内周上端部
２１ｄ  係合凹部
２１ｅ  突起部
２２    カバー
２３    ＬＥＤ
２４    第２受電部
２５    誘い込み部
２６    高熱伝導部
２７    センサ
３１    電源基板
３２    第１受電部
３３    誘い込み部
３４    凹部
３５    導電膜
６１    第１給電部用カバー
６２    第２給電部用カバー
７１    回動レバー
７１ａ  回動軸
７２    弾性部材
７３    係合解除ボタン
【図１】
2013165046.tif 000003
【図２】
2013165046.tif 000004
【図３】
2013165046.tif 000005
【図４】
2013165046.tif 000006
【図５】
2013165046.tif 000007
【図６】
2013165046.tif 000008
【図７】
2013165046.tif 000009
【図８】
2013165046.tif 000010
【図９】
2013165046.tif 000011
【図１０】
2013165046.tif 000012
【図１１】
2013165046.tif 000013
【図１２】
2013165046.tif 000014
【図１３】
2013165046.tif 000015
【図１４】
2013165046.tif 000016
【図１５】
2013165046.tif 000017
【図１６】
2013165046.tif 000018